(57)【要約】【課題】高い温度で内容物を充填した後、冷却して減圧されても、外観上の問題がなく、電子レンジで加熱しても、内容物が噴出したり、破裂したりすることのない電子レンジ加熱用包装容器を提供する。【解決手段】容器本体１と、容器本体の開口部を覆う蓋材２とからなる電子レンジ加熱用包装容器であって、容器本体は、紙を基材層とする紙カップ１１と、紙カップの内側に挿入されたプラスチック成形カップ１２とからなり、紙カップの上端に設けられた紙カップ開口部のトップカール部１１１ａに、プラスチック成形カップの上端に設けられた成形カップ開口部のフランジ部１２３が接着されていて、蓋材が、フランジ部にシールされる通気性シート２１と、通気性シートの外面に剥離可能に積層された保護シート２２からなり、通気性シートのガーレ透気度が、３０秒／１００ｍｌ以下である。【選択図】図２
2015160631.tif 000002
【特許請求の範囲】
【請求項１】
容器本体と、該容器本体の開口部を覆う蓋材とからなる電子レンジ加熱用包装容器であって、
前記容器本体は、紙を基材層とする紙カップと、該紙カップの内側に挿入されたプラスチック成形カップとからなり、
前記紙カップの上端に設けられた紙カップ開口部に、前記プラスチック成形カップの上端に設けられた成形カップ開口部が接着されていて、
前記蓋材が、前記成形カップ開口部にシールされる通気性シートと、該通気性シートの外面に剥離可能に積層された保護シートからなり、前記通気性シートのガーレ透気度が、３０秒／１００ｍｌ以下であることを特徴とする電子レンジ加熱用包装容器。
【請求項２】
前記紙カップは、筒状の胴部材と、該胴部材の下端を塞ぐ底部材とからなり、前記紙カップ開口部には、前記胴部材の上端を外側にカールさせたトップカール部が設けられ、
前記成形カップ開口部には、フランジ部が設けられ、
前記トップカール部に前記フランジ部が接着され、該フランジ部に前記蓋材がシールされていることを特徴とする請求項１に記載の電子レンジ加熱用包装容器。
【請求項３】
前記底部材は、底部とその周縁部より下方に折られた折り曲げ部とからなり、前記底部材を筒状の前記胴部材の下端部分に挿入し、前記胴部材の下端部分を内方に折って、前記折り曲げ部を包むように折返して折返し部を設け、前記胴部材の下端部分を前記折り曲げ部の表裏に熱融着させ、前記胴部材の下端を塞いでいることを特徴とする請求項２に記載の電子レンジ加熱用包装容器。
【発明の詳細な説明】
【技術分野】
【０００１】
本発明は、電子レンジ加熱用包装容器に関するものである。特に、内容物が収納されたまま電子レンジで加熱するのに用いる電子レンジ加熱用包装容器に関するものである。
【背景技術】
【０００２】
電子レンジで加熱調理して食することのできる食品用に、従来から購買者側の手間を軽減するために、その食品を収容していた包装容器を利用してそのまま電子レンジに入れて加熱調理できるようにした商品が多く流通している。
【０００３】
水分の多い食品を充填した包装容器を密封したまま電子レンジでマイクロ波照射して加熱すると、水分が蒸発して大量の蒸気が発生し、この蒸気により包装容器の弱い部分から破裂して、食品が飛び散ってしまう。
【０００４】
このため、包装容器を開封して電子レンジで加熱したり、また、包装容器の一部に予め弱いところを設けておいて、この部分を発生した蒸気による内圧で外気と連通させる包装容器を用いたりしている。
【０００５】
また、電子レンジ対応酒類飲料用容器として、フタを開封しないまま電子レンジで加熱でき、加熱により酒類飲料の温度が適温を超えた後に、内部圧力の上昇によって破裂音を発して開封されるものもある（特許文献１参照）。
【０００６】
この酒類飲料用容器では、エチルアルコール濃度１５％の水溶液の沸点が８５℃付近であることを利用しているため、酒類飲料のアルコール濃度の範囲が限定される。また、フタと容器本体との接着強度などの範囲を厳格に制御する必要がある。
【０００７】
さらには、電子レンジ加熱によって内部圧力が上昇して、容器本体からフタが剥がれたときに、蒸気とともに内容物の酒類飲料が噴出す恐れがある。また、高い温度で内容物を充填した後、冷却して減圧されると、容器がつぶれて変形し、外観上問題になる。
【０００８】
公知文献を以下に示す。
【先行技術文献】
【特許文献】
【０００９】
【特許文献１】特開２００５−１１２４６７号公報
【発明の概要】
【発明が解決しようとする課題】
【００１０】
本発明は上記のような事情に鑑みてなされたもので、高い温度で内容物を充填した後、冷却して減圧されても、外観上の問題がなく、電子レンジで加熱しても、内容物が噴出したり、破裂したりすることのない電子レンジ加熱用包装容器を提供することを課題としている。
【課題を解決するための手段】
【００１１】
本発明は係る課題に鑑みなされたものであり、請求項１の発明は、容器本体と、該容器本体の開口部を覆う蓋材とからなる電子レンジ加熱用包装容器であって、
前記容器本体は、紙を基材層とする紙カップと、該紙カップの内側に挿入されたプラスチック成形カップとからなり、
前記紙カップの上端に設けられた紙カップ開口部に、前記プラスチック成形カップの上端に設けられた成形カップ開口部が接着されていて、
前記蓋材が、前記成形カップ開口部にシールされる通気性シートと、該通気性シートの外面に剥離可能に積層された保護シートからなり、前記通気性シートのガーレ透気度が、３０秒／１００ｍｌ以下であることを特徴とする電子レンジ加熱用包装容器である。
【００１２】
本発明の包装袋は、以上のような構成であって、容器本体が、紙カップと、その内側に挿入されたプラスチック成形カップとからなっているので、高い温度で内容物を充填後、冷却して減圧されても、挿入されているプラスチック成形カップのみが変形し、紙カップは変形しないので、外観上の問題がない。
【００１３】
また、蓋材が、通気性シートと、これに剥離可能に積層された保護シートからなっていて、通気性シートのガーレ透気度が、３０秒／１００ｍｌ以下であるので、電子レンジで加熱して、内圧が上昇しても通気性シートから蒸気が抜けるので、内容物が噴出したり、破裂したりすることがない。
【００１４】
本発明の請求項２の発明は、前記紙カップは、筒状の胴部材と、該胴部材の下端を塞ぐ底部材とからなり、前記紙カップ開口部には、前記胴部材の上端を外側にカールさせたトップカール部が設けられ、
前記成形カップ開口部には、フランジ部が設けられ、
前記トップカール部に前記フランジ部が接着され、該フランジ部に前記蓋材がシールされていることを特徴とする請求項１に記載の電子レンジ加熱用包装容器である。
【００１５】
本発明は、紙カップ開口部に設けられたトップカール部に、成形カップ開口部に設けられたフランジ部が、接着されているので、容器本体の上端部の保形性が高く、包装容器として安心感があり、また、直接口を付けて飲むときに飲みやすい。
【００１６】
本発明の請求項３の発明は、前記底部材は、底部とその周縁部より下方に折られた折り曲げ部とからなり、前記底部材を筒状の前記胴部材の下端部分に挿入し、前記胴部材の下端部分を内方に折って、前記折り曲げ部を包むように折返して折返し部を設け、前記胴部材の下端部分を前記折り曲げ部の表裏に熱融着させ、前記胴部材の下端を塞いでいることを特徴とする請求項２に記載の電子レンジ加熱用包装容器である。
【００１７】
本発明は、底部材の底部の周縁部より下方に折られた折り曲げ部の表裏に、胴部材の下端部分が熱融着しているので、密封性が高く、また、容器本体の下端部の保形性が高く、包装容器として安心感があり、手で持ったときにつぶれることなく、持ちやすい。
【発明の効果】
【００１８】
本発明の電子レンジ加熱用包装容器は、水分の多い食品や、アルコール飲料などの内容物を収納して、電子レンジで加熱しても、内容物が噴出したり、容器が破裂したりすることがない。また、容器本体が、紙カップと、紙カップの内側に挿入されたプラスチック成形カップからなるので、高い温度で内容物を充填した後、冷却して減圧されても、プラスチック成形カップだけが変形し、紙カップは変形することがなく、外観上問題なく、美粧性に優れている。
【図面の簡単な説明】
【００１９】
【図１】本発明の電子レンジ加熱用包装容器の一例を模式的に斜視で示した説明図である。
【図２】本発明の電子レンジ加熱用包装容器の一例を模式的に縦断面で示した説明図である。
【発明を実施するための形態】
【００２０】
以下、本発明を実施するための形態について説明する。
図１は、本発明の電子レンジ加熱用包装容器の一例を模式的に斜視で示した説明図、図２は、本発明の電子レンジ加熱用包装容器の一例を模式的に縦断面で示した説明図である。
【００２１】
本例の電子レンジ加熱用包装容器は、図１の斜視図に示すように、容器本体１と容器本体１の開口部を覆う蓋材２からなっている。
【００２２】
そして、図２のように、容器本体１は、紙カップ１１と紙カップ１１の内側に挿入されたプラスチック成形カップ１２とからなっている。
【００２３】
紙カップ１１は、筒状の胴部材１１１と、胴部材１１１の下端を塞ぐ底部材１１２とからなり、胴部材１１１の上端の紙カップ開口部には、外側にカールさせたトップカール部１１１ａが設けられている。
【００２４】
トップカール部１１１ａは上下に押し潰したように扁平に成形されている。このようにトップカール部１１１ａが扁平に成形されていると、プラスチック成形カップ１２を挿入して、取り付けるときに、広く固定させることができ、安定しやすい。
【００２５】
胴部材１１１は、紙を基材層とするシートを筒状に巻いて、端部を重ね合わせ、胴部貼り合せ部を設けて筒状になっている。底部材１１２は、底部１１２ａとその周縁部より下方に折られた折り曲げ部１１２ｂとからなっている。
【００２６】
そして、底部材１１２を筒状の胴部材１１１の下端部分に挿入し、胴部材１１１の下端部分を内方に折って、折り曲げ部１１２ｂを包むように折返して折返し部１１１ｂを設け、胴部材１１１の下端部分を折り曲げ部１１２ｂの表裏に熱融着させ、胴部材１１１の下端を塞いでいる。
【００２７】
胴部材１１１や底部材１１２は、紙を基材層とし、少なくとも内側になる部分に樹脂層が設けられたシートからなっている。このシートを打ち抜いて、それぞれのブランクを形成して、このブランクを成形して紙カップ１１が形成されている。
【００２８】
基材層に用いられる紙としては、坪量１５０〜３００ｇ／ｍ２程度のカップ原紙が好ましく用いられる。また、樹脂層には、ポリエチレンやポリプロピレンなどのポリオレフィン系やポリエステル系の熱溶融性樹脂を用いることができる。
【００２９】
樹脂層にはさらに、熱溶融性樹脂より基材層側に、バリア層を設けることもできる。バリア層としては、延伸プラスチックフィルムや延伸プラスチックフィルムに無機酸化物の蒸着した蒸着フィルムが単独または組み合わせて用いることができる。
【００３０】
プラスチック成形カップ１２は、底部１２１と底部１２１の周縁部より立ち上がる周壁部１２２が設けられ、周壁部１２２の上端の成形カップ開口部には、外側に延設させたフランジ部１２３が設けられている。
【００３１】
紙カップ１１の内側に挿入されたプラスチック成形カップ１２は、フランジ部１２３が紙カップ１１のトップカール部１１１ａの上に重ねられ、接着している。接着は、接着剤により行われていてもよいし。熱融着により行われていてもよい。
【００３２】
プラスチック成形カップ１２は、シート成形で成形しても良いし、インジェクション成
形などで成形しても良い。成形に用いる樹脂は、少なくとも蓋材２にシールする面には、熱溶融性樹脂を用いることが好ましい。
【００３３】
また、紙カップとの接着を熱融着で行う場合は、紙カップの樹脂層に熱融着可能な樹脂層を紙カップ側に設ける。樹脂層には、ポリエチレンやポリプロピレンなどのポリオレフィン系やポリエステル系の熱溶融性樹脂を用いることができる。
【００３４】
プラスチック成形カップ１２には、これらの熱溶融性樹脂以外にバリア層を設けることが好ましい。バリア層としては、ガスバリア性の高い樹脂が用いられる。例えば、エチレン−ビニルアルコール共重合や、メタキシレンジアミンとアジピン酸からなるいわゆるＭＸＤナイロンなどを用いることができる。
【００３５】
蓋材２は、成形カップ開口部のフランジ部１２３にシールされる通気性シート２１と、通気性シート２１の外面に剥離可能に積層された保護シート２２とからなっている。
【００３６】
通気性シート２１は、多孔質フィルムや不織布などからなっている。素材としては、フランジ部１２３の熱溶融性樹脂に溶着可能な熱溶融性樹脂を用いることが好ましい。熱溶融性樹脂には、ポリエチレンやポリプロピレンなどのポリオレフィン系やポリエステル系の熱溶融性樹脂を用いることができる。
【００３７】
フランジ部１２３の熱溶融性樹脂に溶着可能な熱溶融性樹脂以外の樹脂を用いた場合は、フランジ部１２３に融着可能なヒートシール剤を塗布しておくこともできる。
【００３８】
そして、通気性シート２１は充分に蒸気が透過するようになっていなければならない。このため、通気性シート２１のガーレ透気度は、３０秒／１００ｍｌ以下である必要がある。ガーレ透気度は、ＪＩＳ−Ｐ８１１７：２００９「紙及び板紙−透気度及び透気抵抗度試験方法」に基づく、ガーレ試験機Ｂ形で測定した時間を１００ｍｌ当たりに換算した値である。
【００３９】
保護シート２２には、ガスバリア性の高いバリア層を設けることが好ましい。また、バリア層を保護シート２２の基材層としても良い。バリア層としては、アルミニウム箔や蒸着フィルムを用いることができる。
【００４０】
蒸着フィルムには、蒸着基材フィルムにアルミニウムなどの金属を蒸着した金属蒸着フィルムや、無機酸化物を蒸着した無機化合物蒸着フィルムを用いることができる。蒸着基材フィルムには、樹脂の延伸フィルムが好ましく使用できる。
【００４１】
蒸着基材フィルムの樹脂としては、ポリエチレンテレフタレート、ポリエチレンナフタレ−ト、ポリブチレンテレフタレートなどのポリエステル、ポリエチレン、ポリプロピレン、ポリスチレンなどのポリオレフィン、ナイロン−６、ナイロン−６６などのポリアミド、ポリカーボネート、ポリアクリロニトリル、ポリイミド、ポリ塩化ビニル、ポリビニルアルコール、エチレン−ビニルアルコール共重合体、ポリエーテルスルフォンなどを使用することができる。
【００４２】
その中でも耐熱性、強度、蒸着適性等の点からポリエステルフィルム、ポリアミドフィルムが好ましい。また、これらのフィルムの厚さは、特に限定されないが、６〜２５μｍの厚さが好ましい。
【００４３】
蒸着する無機化合物には、酸化アルミニウム、酸化珪素、酸化錫、酸化マグネシウム、あるいはそれらの混合物などが使用できる。
【００４４】
また、バリア層として、バリア性高分子フィルムを用いることもできる。バリア性高分子フィルムとしては、エチレン−ビニルアルコール共重合や、メタキシレンジアミンとアジピン酸からなるいわゆるＭＸＤナイロンなどを用いることができる。
【００４５】
保護シート２２には、バリア層のほかに他の層を設けても良い。また、通気性シート２１との積層のため、保護シート２２に接着層を設けても良い。接着層は、通気性シートの素材がポリエチレンやポリプロピレンなどのポリオレフィン系やポリエステル系の熱溶融性樹脂の場合、これと熱溶融可能な樹脂で設けて、熱融着により積層しても良いし、また、ヒートシール剤を用いて積層しても良いし、他の方法で積層しても良い。
【００４６】
通気性シート２１と保護シート２２の積層では、必ずしも全面が接着している必要はない。少なくとも、フランジ部１２３と通気性シート２１がシールされるシール部が接着していれば良い。
【００４７】
シール部より内側は、まったく接着していなくても良いし、斑点状など部分的に接着していても良い。このようにしておくと、電子レンジで加熱する前、保護シート２２を通気性シート２１から剥離するときに、容易に剥離することができる。
【００４８】
蓋材２には、シール部の外側に、蓋材２を容器本体１から剥がすための開封用つまみ部２３と、通気性シート２１から保護シート２２を剥がすための剥離用つまみ部２４を設けることができる。
【００４９】
剥離用つまみ部２４には、シール部との際に、通気性シート２１を切断したカット部２５を設けておくこともできる。このようにしておくと、通気性シート２１から保護シート２２を剥がすときに、剥離用つまみ部２４を持って剥離していくと、カット部２５で保護シート２２が通気性シート２１から剥がれて、これ以降、保護シート２２だけを剥がすことができる。また、カット部２５を設けるのではなく、剥離用つまみ部２４の通気性シート２１をなくしておくようにしてもよい。
【実施例】
【００５０】
以下に、本発明の具体的実施例について説明する。
【００５１】
＜実施例１＞
容器本体１の紙カップ１１として、図１、図２に示すような、筒状の胴部材の下端部分に底部材を前述の様に設け、胴部材の上端部分に扁平なトップカール部を設けた紙カップを用意した。尚、胴部材と底部材には、坪量２８０ｇ／ｍ２の紙を基材層とし、カップの内面となる側に低密度ポリエチレンの厚さ３０μｍの樹脂層を設けたシートを用いた。
【００５２】
また、プラスチック成形カップ１２も、図１、図２に示すような、底部と周壁部とフランジ部からなるカップをシート成形により成形した。シート成形に用いたシートは、バリア層が、厚さ３０μmのエチレン−ビニルアルコール共重合体で、その両面に熱溶融性樹脂の低密度ポリエチレン層を設けた総厚２００μｍの多層シートを用いた。
【００５３】
そして、プラスチック成形カップ１２を紙カップ１１の中に挿入して、紙カップ１１のトップカール部に、プラスチック成形カップ１２のフランジ部を熱融着により接着し、容器本体とした。
【００５４】
蓋材２の通気性シート２１として、ガーレ透気度が、１０秒／１００ｍｌのポリエチレン系多孔質フィルムを用意した。また、保護シート２２として、酸化アルミニウム蒸着ポ
リエチレンテレフタレートフィルム１２μｍを用意し、接着層として低密度ポリエチレン層２０μｍを押出しラミネーションにより設けた。
【００５５】
そして、通気性シートに保護シートを重ね合わせ、斑点状の突起を設けた熱ロールで加熱して、斑点状に熱融着し積層した。この積層体を打ち抜き加工より、開封用つまみ部２３、剥離用つまみ部２４、カット部２５を設けて、枚葉の蓋材を作成した。以上のようにして、実施例１の蓋材と容器本体を作成した。
【００５６】
＜実施例２＞
蓋材２の通気性シート２１として、ガーレ透気度が、３０秒／１００ｍｌのポリエチレン系多孔質フィルムを用いて蓋材を作成した。これ以外は実施例１と同様にして、実施例２の蓋材と容器本体を作成した。
【００５７】
以下に、本発明の比較例について説明する。
【００５８】
＜比較例１＞
蓋材２の通気性シート２１として、ガーレ透気度が、４０秒／１００ｍｌのポリエチレン系多孔質フィルムを用いて蓋材を作成した。これ以外は実施例１と同様にして、比較例１の蓋材と容器本体を作成した。
【００５９】
＜比較例２＞
容器本体として、プラスチック成形カップを用いず、紙カップのみを用い、紙カップの胴部材と底部材に用いるシートを、坪量２８０ｇ／ｍ２の紙を基材層とし、カップの内面となる側に酸化アルミニウム蒸着ポリエチレンテレフタレートフィルム１２μｍと低密度ポリエチレン層６０μｍを順次設け、カップの外面となる側に低密度ポリエチレン層３０μmを設けたものにした。これ以外は実施例１と同様にして、比較例２の蓋材と容器本体を作成した。
【００６０】
＜比較例３＞
容器本体として、比較例２と同じ容器本体を用い、蓋材には、通気性シートを用いず、外側から、ポリカーボネートフィルム８０μｍ、エチレン−ビニルアルコール共重合体フィルム２５μｍ、無延伸ナイロンフィルム３０μｍ、イージーピールシーラントフィルム３０μｍを順次積層した積層体を用いて蓋材を作成した。以上のようにして、比較例３の蓋材と容器本体を作成した。
【００６１】
＜比較例４＞
紙カップ１１とプラスチック成形カップ１２からなる実施例１と同じ容器本体と、通気性シートを用いない比較例３と同じ蓋材とを、比較例４の蓋材と容器本体とした。
【００６２】
＜試験方法＞
実施例と比較例の蓋材と容器本体を下記の方法で試験し、比較評価した。
【００６３】
＜ホット充填後＞
実施例と比較例の容器本体にそれぞれ、７０℃に加温した清酒１５０ｍｌをホット充填し、実施例と比較例のそれぞれの蓋材でシールして密封した。このとき、実施例１、２と比較例１、２の蓋材は、シール部で通気性シートが、容器本体の開口部にシールされるとともに、通気性シートと保護シートが、融着される。
【００６４】
充填後、室温に放置して冷却し、外観を観察し容器の変形の有無を確認した。容器本体の外観で変形が認められたものを×とし、容器本体の外観で変形が認められないものを○
として評価し、その結果を表１にまとめた。
【００６５】
＜電子レンジ加熱時＞
前記の評価で用いた清酒が充填済みの電子レンジ加熱用包装容器を用いて、電子レンジで過剰に加熱して、内容物の清酒の噴出しの有無を観察、確認した。加熱は、１５００Ｗ、１分間行った。
【００６６】
電子レンジでの加熱により、内容物の清酒が噴出したり、飛び散ったりしたものを×とし、これらの問題がなく加熱できたものを○として評価し、その結果を表１にまとめた。尚、実施例１、２と、比較例１、２の蓋材は、保護シートを剥がしてから電子レンジでの加熱を行い、比較例３、４の蓋材は、そのまま電子レンジでの加熱を行った。
【００６７】
【表１】
2015160631.tif 000003
以下に、実施例と比較例との比較結果について説明する。
【００６８】
＜比較結果＞
実施例１、２の蓋材と容器本体を用いた本発明の電子レンジ加熱用包装容器は、ホット充填して冷却しても、内側のプラスチック成形カップは、減圧され凹んでいたが、外側の紙カップには変化がなく、外観が良好であった。
【００６９】
また、電子レンジでの１５００Wで1分間の過剰な加熱においても、実施例２の電子レンジ加熱用包装容器で、加熱中、やや膨らんだが、通気性シートから蒸気が抜けるため内圧上昇が抑えられ、いずれも、破裂したり、内容物が噴出したりすることはなかった。
【００７０】
一方、比較例１の蓋材と容器本体を用いた電子レンジ加熱用包装容器では、ホット充填して冷却しても、実施例１、２と同様に、内側のプラスチック成形カップは、減圧され凹んでいたが、外側の紙カップには変化がなく、外観が良好であった。
【００７１】
しかし、電子レンジでの過剰な加熱においては、通気性シートからの蒸気の抜ける量が少なく、内圧上昇にともなって膨らみ、電子レンジ加熱用包装容器が破裂してしまった。
【００７２】
また、比較例２の蓋材と容器本体を用いた電子レンジ加熱用包装容器では、ホット充填して冷却すると、容器本体が減圧により、変形してつぶれてしまった。尚、電子レンジでの過剰な加熱においては、通気性シートから蒸気が抜けて、内容物が噴出すことはなかった。
【００７３】
また、比較例３の蓋材と容器本体を用いた電子レンジ加熱用包装容器では、ホット充填して冷却すると、容器本体が減圧により変形してつぶれてしまった。尚、電子レンジでの過剰な加熱においては、蓋材が剥がれ、蒸気が抜けるのとともに、内容物が噴出してしまった。
【００７４】
比較例４の蓋材と容器本体を用いた電子レンジ加熱用包装容器では、実施例１、２と同様に、内側のプラスチック成形カップは、減圧され凹んでいたが、外側の紙カップには変化がなく、外観が良好であった。しかし、電子レンジでの過剰な加熱においては、蓋材が剥がれ、蒸気が抜けるのとともに、内容物が噴出してしまった。
【符号の説明】
【００７５】
１・・・容器本体
１１・・・紙カップ
１１１・・・胴部材
１１１ａ・・・トップカール部
１１１ｂ・・・折返し部
１１２・・・底部材
１１２ａ・・・底部
１１２ｂ・・・折り曲げ部
１２・・・プラスチック成形カップ
１２１・・・底部
１２２・・・周壁部
１２３・・・フランジ部
２・・・蓋材
２１・・・通気性シート
２２・・・保護シート
２３・・・開封つまみ部
２４・・・剥離つまみ部
２５・・・カット部
【図１】
2015160631.tif 000004
【図２】
2015160631.tif 000005